(57)【要約】      （修正有）【課題】特に組み立てが極めて簡単な分解可能な配電箱の組立式のフレームを提供する。【解決手段】上部において４本の横柱及び４つのコーナー部材から成る上部枠と、下部において４本の横柱及び４つのコーナー部材から成る下部枠とを有し、４本の縦柱を介して該上部枠と下部枠を連結する。その内、該コーナー部材は、螺合手段により、隣り合う２つの該横柱を連結し、該各縦柱の上下両端に夫々ヘッドが設置される。【選択図】図１
0003179243.tif 000002
【実用新案登録請求の範囲】
【請求項１】
上部において４本の横柱及び４つのコーナー部材から成る上部枠と、下部において４本の横柱及び４つのコーナー部材から成る下部枠とを有し、４本の縦柱を介して該上部枠と下部枠を連結するものであり、
前記各横柱には、左右両端に夫々開口が形成される横柱本体を有し、溶接手段によって、該横柱本体の両端開口に２つのチャップが結合され、該各キャップに結合ボルト４が螺合される結合孔が形成され、
前記各コーナー部材は、隣り合う２つの前記横柱の間に設置され、その中央部に介在壁が設けられ、該介在壁の両側に、夫々該横柱に当接する当接壁が設けられ、該各当接壁に、前記横柱のキャップの結合孔と対応する連結孔が形成され、前記結合ボルトが該連結孔を通過して結合孔に螺合され、更に、該介在壁にネジ孔が形成され、
前記各縦柱は、前記上部枠及び下部枠の対応するコーナー部材と連結され、上下両端に夫々開口が形成される縦柱本体を有し、溶接手段により、該縦柱本体における両端の開口に２つのヘッドが設置され、該各ヘッドに該縦柱本体の断面形状と対応するベースが設けられ、該ベースの上面にブロックが設けられ、該ブロックに接触面が設けられ、該接触面に、前記介在壁のネジ孔と対応するように組立孔が形成され、該組立孔を通過してボルトがネジ孔に螺合されることを特徴とする配電箱の組立式フレーム。
【請求項２】
前記キャップの外側面に位置決めリブが凸設され、前記コーナー部材における当接壁の外側面に、夫々前記位置決めリブが嵌め込まれる位置決め溝が凹設されることを特徴とする請求項１に記載の配電箱の組立式フレーム。
【請求項３】
前記コーナー部材における２つの当接壁の内側下部及び介在壁の内側下部に位置決め凸縁が凸設され、前記ヘッドのベースの外側面の下部に前記コーナー部材の位置決め凸縁と対応する位置決め凹部が凹設され、該位置決め凹部にコーナー部材の位置決め凸縁が嵌め込まれることを特徴とする請求項１または請求項２に記載の配電箱の組立式フレーム。
【請求項４】
前記コーナー部材の介在壁に嵌合凹部が形成され、前記ヘッドの接触面に該コーナー部材の嵌合凹部に嵌め込まれる嵌合凸部が凸設されることを特徴とする請求項３に記載の配電箱の組立式フレーム。
【請求項５】
前記コーナー部材の位置決め凸縁の端面に嵌合溝が凹設され、該嵌合溝に防水部材が嵌め込まれることを特徴とする請求項４に記載の配電箱の組立式フレーム。
【請求項６】
前記キャップの位置決めリブの端面に嵌合溝が凹設され、該嵌合溝に防水部材が嵌め込まれることを特徴とする請求項５に記載の配電箱の組立式フレーム。
【請求項７】
さらに、複数の支持柱を有し、該支持柱が隣り合った２つの縦柱との間に連結され、且つ対応した上部枠の横柱と下部枠の横柱との間に連結され、また、隣り合った２つの前記支持柱との間に結合部材が結合され、該結合部材は、ベースと、一方の該支持柱の一側面に固定されるように、該ベースの相対する２つの側面に延設される２つの翼部と、他方の該支持柱に固定されるように、該ベースの相対する２つの他の側面に延設される当接プレート及び係合プレートとを備えることを特徴とする請求項６に記載の配電箱の組立式フレーム。
【請求項８】
複数の支持柱を有し、該支持柱が隣り合った２つの縦柱との間に連結され、且つ対応した上部枠の横柱と下部枠の横柱との間に連結され、また、隣り合った２つの前記支持柱との間にさらに結合部材が結合され、該結合部材は、ベースと、一方の該支持柱の一側面に固定されるように、該ベースの相対する２つの側面に延設される２つの翼部と、他方の該支持柱に固定されるように、該ベースの相対する２つの他の側面に延設される当接プレート及び係合プレートとを備えることを特徴とする請求項１または請求項２に記載の配電箱の組立式フレーム。
【請求項９】
前記各縦柱の縦柱本体に複数の組立部材が間隔をおいて取り付けられ、該各組立部材は、該縦柱の縦柱本体に着脱可能に取り付けられると共に、外側面に組立タブが延設される少なくとも１つの組立ブロックと、前記組立ブロックの組立タブをカバーするように取り付けられる結合ブロックとを備えることを特徴とする請求項７に記載の配電箱の組立式フレーム。
【請求項１０】
前記各縦柱の縦柱本体に複数の組立部材が間隔をおいて取り付けられ、該各組立部材は、該縦柱の縦柱本体に着脱可能に取り付けられると共に、外側面に組立タブが延設される少なくとも１つの組立ブロックと、前記組立ブロックの組立タブをカバーするように取り付けられる結合ブロックとを備えることを特徴とする請求項１または請求項２に記載の配電箱の組立式フレーム。
【考案の詳細な説明】
【技術分野】
【０００１】
本考案は、配電箱に使用するための組立式のフレームに関するものである。
【背景技術】
【０００２】
従来の配電箱フレームは、通常、複数のコーナー部材により夫々隣接する横柱又は縦柱を連結してフレームを組み立て、その後、組み立てた横柱、コーナー部材、縦柱を溶接手段により固定して強固なフレームを完成させるが、この方法では、コーナー部材を設置し難いことから、予め工場で組立てなければならない。しかし、組み立てられたフレームは、体積が大きく、搬送が極めて不便であり、コストも非常に高くついた。
【０００３】
従来の配電箱フレームにおける、コーナー部材が設置し難いという問題を解決するために、その後、組立式のコーナー部材を備えた組立式配電箱フレームが開発された。それによれば、簡単に横柱又は縦柱を連結することができるが、それら横柱、コーナー部材、縦柱を組み立てには、溶接手段を用いる必要があることから、一旦組み立てたらフレームを分解することができないので、体積が大きく、組み立てたフレームを配置する時に広い配置空間が必要であった。
【考案の概要】
【考案が解決しようとする課題】
【０００４】
前記既存の組立式配電箱フレームは、組み立ててから溶接手段で固定しなければならなく、一旦組み立てると、分解することができないことから、広い配置空間が必要であったので、実用性に優れなかった。
【課題を解決するための手段】
【０００５】
本考案に係る配電箱の組立式フレームは、上部において４本の横柱及び４つのコーナー部材から成る上部枠と、下部において４本の横柱及び４つのコーナー部材から成る下部枠とを有し、４本の縦柱を介して該上部枠と下部枠を連結するものであり、
前記各横柱には、左右両端に夫々開口が形成される横柱本体を有し、溶接手段によって、該横柱本体の両端開口に２つのチャップが結合され、該各キャップに結合ボルト４が螺合される結合孔が形成され、
前記各コーナー部材は、隣り合う２つの前記横柱の間に設置され、その中央部に介在壁が設けられ、該介在壁の両側に、夫々該横柱に当接する当接壁が設けられ、該各当接壁に、前記横柱のキャップの結合孔と対応する連結孔が形成され、前記結合ボルトが該連結孔を通過して結合孔に螺合され、更に該介在壁にネジ孔が形成され、
前記各縦柱は、前記上部枠及び下部枠の対応するコーナー部材と連結され、上下両端に夫々開口が形成される縦柱本体を有し、溶接手段により該縦柱本体における両端の開口に２つのヘッドが設置され、該各ヘッドに該縦柱本体の断面形状と対応するベースが設けられ、該ベースの上面にブロックが設けられ、該ブロックに接触面が設けられ、該接触面に前記介在壁のネジ孔と対応するように組立孔が形成され、該組立孔を通過してボルトがネジ孔に螺合されるものである。
【０００６】
前記キャップの外側面に位置決めリブが凸設され、前記コーナー部材における当接壁の外側面に、夫々前記位置決めリブが嵌め込まれる位置決め溝が凹設されることが好ましい。
【０００７】
前記コーナー部材における２つの当接壁の内側下部及び介在壁の内側下部に位置決め凸縁が凸設され、前記ヘッドのベースの外側面の下部に前記コーナー部材の位置決め凸縁と対応する位置決め凹部が凹設され、該位置決め凹部にコーナー部材の位置決め凸縁が嵌め込まれることが好ましい。
【０００８】
前記コーナー部材の介在壁に嵌合凹部が形成され、前記ヘッドの接触面に該コーナー部材の嵌合凹部に嵌め込まれる嵌合凸部が凸設されることが好ましい。
【０００９】
前記コーナー部材の位置決め凸縁の端面に嵌合溝が凹設され、該嵌合溝に防水部材が嵌め込まれることが好ましい。
【００１０】
前記キャップの位置決めリブの端面に嵌合溝が凹設され、該嵌合溝に防水部材が嵌め込まれることが好ましい。
【００１１】
複数の支持柱を有し、該支持柱が隣り合った２つの縦柱との間に連結され、且つ対応した上部枠の横柱と下部枠の横柱との間に連結され、また、隣り合った２つの前記支持柱との間にさらに結合部材が結合され、該結合部材は、ベースと、一方の該支持柱の一側面に固定されるように、該ベースの相対する２つの側面に延設される２つの翼部と、他方の該支持柱に固定されるように、該ベースの相対する２つの他の側面に延設される当接プレート及び係合プレートとを備えることが好ましい。
【００１２】
前記各縦柱の縦柱本体に複数の組立部材が間隔をおいて取り付けられ、該各組立部材は、該縦柱の縦柱本体に着脱可能に取り付けられると共に、外側面に組立タブが延設される少なくとも１つの組立ブロックと、前記組立ブロックの組立タブをカバーするように取り付けられる結合ブロックとを備えることが好ましい。
【考案の効果】
【００１３】
本考案に係る配電箱の組立式フレームは、コーナー部材を介して複数の横柱を連結することにより、上部枠及び下部枠Ｂを構成し、縦柱のヘッドを上下対応のコーナー部材に設置するだけで良いので、配電箱の組立式フレームの組み立てや、分解が極めて簡単である。故に、搬送又は配置する時は、フレームの部材を分解すれば体積を小さくすることができることから、配置空間をも節約できるので、コストの削減に繋がる。更に、横柱とコーナー部材との結合箇所及びコーナー部材と縦柱との結合箇所には、夫々防水部材を有することからフレームに防水効果を提供する。
【図面の簡単な説明】
【００１４】
【図１】本考案に係る配電箱の組立式フレームの第一実施例の斜視図である。
【図２】本考案に係る配電箱の組立式フレームの第一実施例における横柱の斜視図である。
【図３】本考案に係る配電箱の組立式フレームの第一実施例におけるコーナー部材の正面視斜視図である。
【図４】本考案に係る配電箱の組立式フレームの第一実施例におけるコーナー部材の背面視斜視図である。
【図５】本考案に係る配電箱の組立式フレームの第一実施例における上部枠の斜視図である。
【図６】本考案に係る配電箱の組立式フレームの第一実施例における上部枠の部分分解斜視図である。
【図７】本考案に係る配電箱の組立式フレームの第一実施例における縦柱の斜視図である。
【図８】本考案に係る配電箱の組立式フレームの第一実施例における上部枠及び縦柱の上端ヘッドの部分拡大分解斜視図である。
【図９】本考案に係る配電箱の組立式フレームの第一実施例における下部枠及び縦柱の下端ヘッドの拡大分解斜視図である。
【図１０】本考案に係る配電箱の組立式フレームの第二実施例の斜視図である。
【図１１】本考案に係る配電箱の組立式フレームの第二実施例における支持柱及び結合部材の部分分解斜視図である。
【図１２】本考案に係る配電箱の組立式フレームの第三実施例の斜視図である。
【図１３】本考案に係る配電箱の組立式フレームの第三実施例における隣り合った２つの縦柱に取り付けられた組立ブロック及び結合ブロックの部分拡大斜視図である。
【図１４】本考案に係る配電箱の組立式フレームの第三実施例における組立ブロック及び結合ブロックの分解斜視図である。
【考案を実施するための形態】
【００１５】
以下、添付図面を参照して本考案の好適な実施の形態を詳細に説明する。尚、下記実施例は、本考案の好適な実施の形態を示したものに過ぎず、本考案の技術的範囲は、下記実施例そのものに何ら限定されるものではない。
【００１６】
図１に示すように、本考案に係る配電箱の組立式フレームにおける第一実施例は、８本の横柱１０と、８つのコーナー部材２０と、４本の縦柱３０とを有し、上部において４本の横柱１０及び４つのコーナー部材２０により上部枠Ａが構成されると共に、下部において４本の横柱１０及び４つのコーナー部材２０により下部枠Ｂが構成され、更に４本の縦柱３０を介して該上部枠Ａと下部枠Ｂとが連結されることにより、組立式フレームが構成される。
【００１７】
図２及び図６に示すように、前記各横柱１０は、横柱本体１１と、２つのキャップ１２と、２つの防水部材１３と、２つの結合ボルト１４とを備え、その内、該横柱本体１１は、断面Ｌ字形を呈する細長状の柱体であり、２つの外側面（図２に示す横柱本体１１の右面及び上面）に、夫々複数の掛合孔が間隔をおいて形成されると共に、２つの内側面（図２に示す横柱本体１１の左面及び下面）の間に傾斜面が設けられ、左右両端に夫々開口が形成される。
【００１８】
前記各キャップ１２は、夫々溶接手段によって、横柱本体１１の断面形状と対応するように、該横柱本体１１の両端の開口に結合され、Ｌ字形の接合部及び三角形の螺合部を備え、該接合部の外側面にＬ字形の位置決めリブ１２０が凸設され、該位置決めリブ１２０の端面にＬ字形の嵌合溝１２０１が凹設され、更に、該螺合部に結合孔１２１が形成され、一方、前記防水部材１３は、該キャップ１２の位置決めリブ１２０の嵌合溝１２０１に嵌め込まれ、該結合ボルト１４は、キャップ１２の結合孔１２１に螺合される。
【００１９】
図３及び図４に示すように、前記各コーナー部材２０は、その中央部に介在壁２１が設けられ、該介在壁２１の両側に、夫々キャップ１２の形状と対応するように、隣り合う２つの横柱１０に当接する当接壁が設けられ、それら当接壁の内側下部及び介在壁２１の下部に位置決め凸縁２２が凸設され、該位置決め凸縁２２の端面に嵌合溝２２０が凹設され、該各当接壁における位置決め凸縁２２の上側に連結孔２３が形成され、該介在壁２１における、連結孔２３よりやや高い箇所にネジ孔２４が形成され、該介在壁２１における、ネジ孔２４の上方に嵌合凹部２５が形成され、該２つの当接壁の外側面に、夫々横柱１０の位置決めリブ１２０と対応するように、Ｌ字形の位置決め溝２６が凹設され、該位置決め凸縁２２の嵌合溝２２０に防水シール２７が嵌め込まれる。
【００２０】
次に、図５及び図６に示すように、上部枠Ａを例として、４本の横柱１０及び４つのコーナー部材２０の結合方法を説明する。先ず、それら横柱１０を矩形に配列して、隣り合う２つの横柱１０の間に夫々コーナー部材２０を装着する。この時、横柱１０のキャップ１２の結合孔１２１がコーナー部材２０の連結孔２３と対応して、キャップ１２の位置決めリブ１２０が位置決め溝２６に嵌め込まれ、結合ボルト１４が連結孔２３を通過して結合孔１２１に螺合されると、コーナー部材２０が横柱１０のキャップ１２に装着される。故に、上述の操作を繰り返して、４つのコーナー部材２０を順次に隣り合う２つの横柱１０に装着すれば、フレーム上部の上部枠Ａが完成する。尚、フレーム下部の下部枠Ｂの装着方法は、上部枠Ａと同一であり、配置方向が上部枠Ａと上下反対という点しか異ならないので、その説明を省略する。
【００２１】
図７及び図８に示すように、前記各縦柱３０は、縦柱本体３１と、２つのヘッド３２と、２つのボルト３３とを備え、その内、該縦柱本体３１は、断面Ｌ字形を呈する細長状の柱体であり、２つの外側面に、夫々複数の掛合孔が間隔をおいて形成されると共に（図７の如く）、２つの内側面の間に傾斜面が設けられ（図８の如く）、上下両端に夫々開口が形成される。
【００２２】
前記２つのヘッド３２は、夫々溶接手段により縦柱本体３１の両端の開口に結合され、該各ヘッド３２に縦柱本体３１の断面形状と対応するベース３２１が設けられ、該ベース３２１の２つの外側面の下部にコーナー部材２０の位置決め凸縁２２と対応する位置決め凹部３２１０が凹設されると共に、該ベース３２１の上面に略半円柱状のブロック３２２が設けられ、該ブロック３２２の中央位置に接触面３２２０が形成され、該接触面３２２０におけるベース３２１の上方及びコーナー部材２０のネジ孔２４と対応する箇所に夫々組立孔３２３が形成され、該接触面３２２０における、コーナー部材２０の嵌合凹部２５と対応する箇所に嵌合凸部３２４が凸設され、更に、該ボルト３３は、組立孔３２３を通過してネジ孔２４に螺合される。
【００２３】
次に、図８及び図９に示すように、縦柱３０と上部枠Ａ及び下部枠Ｂとの結合方法を説明する。上端のヘッド３２が上部枠Ａのコーナー部材２０に、下端のヘッド３２が下部枠Ｂのコーナー部材２０と対応するように、縦柱３０を上部枠Ａ及び下部枠Ｂに連結する。この時、前記縦柱３０のヘッド３２の組立孔３２３がコーナー部材２０のネジ孔２４と対応するように、ベース３２１の位置決め凹部３２１０にコーナー部材２０の位置決め凸縁２２が嵌め込まれて、ヘッド３２の嵌合凸部３２４がコーナー部材２０の嵌合凹部２５に嵌め込まれ、ボルト３３が組立孔３２３を通過してネジ孔２４に螺合されると、縦柱３０が上部枠Ａ及び下部枠Ｂに結合される。故に、上述操作を繰り返して、４本の縦柱３０を順次に、対応する上部枠Ａ及び下部枠Ｂのコーナー部材２０に装着すれば、立方形状のフレームが完成する。
【００２４】
図１０及び図１１に示すように、本考案に係る配電箱の組立式フレームにおける第二実施例は、殆ど第一実施例と同一であるが、さらに複数の支持柱４０及び複数の結合部材７０を有する点において異なる。その支持柱４０を用いて隣り合った２つの縦柱３０を連結するまたは対応した上部枠Ａの横柱１０と下部枠Ｂの横柱１０とを連結することができる。また、隣り合った２つの該支持柱４０を結合する時、該結合部材７０を介してそれら支持柱４０を結合することができる。それによれば、組立式フレームの固定効果を高めてフレームの変形を防ぐことができる。
【００２５】
前記支持柱４０は、矩形断面を有する中空状の細長柱であり、該細長柱の４つの側面に夫々複数の結合孔または結合溝部が長手方向に沿って形成される。前記結合部材７０は、ベース７１と、該ベース７１の相対する２つの側面に延設される２つの翼部７２と、該ベース７１の相対する他の２つの側面に延設される当接プレート７３及び係合プレート７４とを備える。
【００２６】
その結合部材７０を用いて隣り合った２つの支持柱４０を結合する時、２つの翼部７２を一方の支持柱４０の一側面の結合孔に係合してボルトにより結合部材７０を支持柱４０に螺合して固定すると共に、当接プレート７３及び係合プレート７４を他方の支持柱４０の端部に挿設して相対する２つの内側面に当接してボルトにより結合部材７０を他方の支持柱４０に螺合して固定する。
【００２７】
図１２乃至図１４に示すように、本考案に係る配電箱の組立式フレームにおける第三実施例は、殆ど第一実施例と同一であるが、各縦柱３０の縦柱本体３１に複数の組立部材が間隔をおいて取り付けられ、それら組立部材により隣り合った２つの組立式フレームを結合することができる。
【００２８】
該各組立部材は、２つの組立ブロック５０を備え、該組立ブロック５０は、ファスナーにより着脱可能に縦柱３０の縦柱本体３１に取り付けられ、外側面に組立タブ５１が延設される。隣り合った２つの組立式フレームを結合する時、一方の組立式フレームの縦柱３０に取り付けられた組立ブロック５０の組立タブ５１と他方の組立式フレームにおける縦柱３０に取り付けられた組立ブロック５０の組立タブ５１とを結合すると、２つの組立式フレームを結合することができる。
【００２９】
図１４に示すように、前記隣り合った２つの組立式フレームをしっかり結合するために、さらに結合ブロック６０及び２つのボルト６１を備え、該結合ブロック６０は、上述の対応した２つの組立ブロック５０の組立タブ５１をカバーするように取り付けられ、該ボルト６１は、結合ブロック６０と組立ブロック５０の組立タブ５１とを螺合し、それにより、その２つの組立式フレームを安定に組み合わせることができる。
【００３０】
本考案に係る配電箱の組立式フレームによれば、単にコーナー部材２０を介して隣り合う２つの横柱１０を連結して上部枠Ａ及び下部枠Ｂを構成し、縦柱３０のヘッド３２を上下において対応するコーナー部材２０に装着すれば、組立式フレームを完成できることから、溶接手段が不要であるので、より簡単に組み立てが極めて容易であり、また、どの横柱１０又は縦柱３０であってもその内の１本を簡単に分解することができることから、搬送する時、横柱１０や、コーナー部材２０、縦柱３０などの部材を分解して搬送すれば、体積をより小さくできるので、配置空間や搬送コストを節約することができる。
【００３１】
更に、本考案においては、前記横柱１０とコーナー部材２０との結合箇所及びコーナー部材２０と縦柱３０との結合箇所に夫々防水部材を有することから、フレームに対する防水効果を提供することができる。
【産業上の利用可能性】
【００３２】
本考案は上記の構成を有することから、コーナー部材を介して複数の横柱を連結することにより上部枠及び下部枠を構成すると共に、縦柱のヘッドを上下において対応するコーナー部材に装着することによって、配電箱の組立式フレームの組み立てや分解が容易となる。故に、搬送又は配置する時、フレームの部材を分解して体積を小さくできるので、配置空間を節約できると共に、コストの削減にも繋がる。
【符号の説明】
【００３３】
１０…横柱、
１１…横柱本体、
１２…キャップ、
１２０…位置決めリブ、
１２０１…嵌合溝、
１２１…結合孔、
１３…防水部材、
１４…結合ボルト、
２０…コーナー部材、
２１…介在壁、
２２…位置決め凸縁、
２２０…嵌合溝、
２３…連結孔、
２４…ネジ孔、
２５…嵌合凹部、
２６…位置決め溝、
２７…防水部材、
３０…縦柱、
３１…縦柱本体、
３２…ヘッド、
３２１…ベース、
３２１０…位置決め凹部、
３２２…ブロック、
３２２０…接触面、
３２３…組立孔、
３２４…嵌合凸部、
３３…ボルト、
Ａ…上部枠、
Ｂ…下部枠、
４０…支持柱、
７０…結合部材、
７１…ベース、
７２…翼部、
７３…当接プレート、
７４…係合プレート、
５０…組立ブロック、
５１…組立タブ、
６０…結合ブロック、
６１…ボルト。
【図１】
0003179243.tif 000003
【図２】
0003179243.tif 000004
【図３】
0003179243.tif 000005
【図４】
0003179243.tif 000006
【図５】
0003179243.tif 000007
【図６】
0003179243.tif 000008
【図７】
0003179243.tif 000009
【図８】
0003179243.tif 000010
【図９】
0003179243.tif 000011
【図１０】
0003179243.tif 000012
【図１１】
0003179243.tif 000013
【図１２】
0003179243.tif 000014
【図１３】
0003179243.tif 000015
【図１４】
0003179243.tif 000016
【手続補正書】
【提出日】平成24年7月6日(2012.7.6)
【手続補正１】
【補正対象書類名】明細書
【補正対象項目名】０００５
【補正方法】変更
【補正の内容】
【０００５】
本考案に係る配電箱の組立式フレームは、上部において４本の横柱及び４つのコーナー部材から成る上部枠と、下部において４本の横柱及び４つのコーナー部材から成る下部枠とを有し、４本の縦柱を介して該上部枠と下部枠を連結するものであり、
前記各横柱には、左右両端に夫々開口が形成される横柱本体を有し、溶接手段によって、該横柱本体の両端開口に２つのキャップが結合され、該各キャップに結合ボルト１４が螺合される結合孔が形成され、
前記各コーナー部材は、隣り合う２つの前記横柱の間に設置され、その中央部に介在壁が設けられ、該介在壁の両側に、夫々該横柱に当接する当接壁が設けられ、該各当接壁に、前記横柱のキャップの結合孔と対応する連結孔が形成され、前記結合ボルトが該連結孔を通過して結合孔に螺合され、更に該介在壁にネジ孔が形成され、
前記各縦柱は、前記上部枠及び下部枠の対応するコーナー部材と連結され、上下両端に夫々開口が形成される縦柱本体を有し、溶接手段により該縦柱本体における両端の開口に２つのヘッドが設置され、該各ヘッドに該縦柱本体の断面形状と対応するベースが設けられ、該ベースの上面にブロックが設けられ、該ブロックに接触面が設けられ、該接触面に前記介在壁のネジ孔と対応するように組立孔が形成され、該組立孔を通過してボルトがネジ孔に螺合されるものである。
【手続補正２】
【補正対象書類名】実用新案登録請求の範囲
【補正対象項目名】全文
【補正方法】変更
【補正の内容】
【実用新案登録請求の範囲】
【請求項１】
上部において４本の横柱及び４つのコーナー部材から成る上部枠と、下部において４本の横柱及び４つのコーナー部材から成る下部枠とを有し、４本の縦柱を介して該上部枠と下部枠を連結するものであり、
前記各横柱には、左右両端に夫々開口が形成される横柱本体を有し、溶接手段によって、該横柱本体の両端開口に２つのキャップが結合され、該各キャップに結合ボルト１４が螺合される結合孔が形成され、
前記各コーナー部材は、隣り合う２つの前記横柱の間に設置され、その中央部に介在壁が設けられ、該介在壁の両側に、夫々該横柱に当接する当接壁が設けられ、該各当接壁に、前記横柱のキャップの結合孔と対応する連結孔が形成され、前記結合ボルトが該連結孔を通過して結合孔に螺合され、更に、該介在壁にネジ孔が形成され、
前記各縦柱は、前記上部枠及び下部枠の対応するコーナー部材と連結され、上下両端に夫々開口が形成される縦柱本体を有し、溶接手段により、該縦柱本体における両端の開口に２つのヘッドが設置され、該各ヘッドに該縦柱本体の断面形状と対応するベースが設けられ、該ベースの上面にブロックが設けられ、該ブロックに接触面が設けられ、該接触面に、前記介在壁のネジ孔と対応するように組立孔が形成され、該組立孔を通過してボルトがネジ孔に螺合されることを特徴とする配電箱の組立式フレーム。
【請求項２】
前記キャップの外側面に位置決めリブが凸設され、前記コーナー部材における当接壁の外側面に、夫々前記位置決めリブが嵌め込まれる位置決め溝が凹設されることを特徴とする請求項１に記載の配電箱の組立式フレーム。
【請求項３】
前記コーナー部材における２つの当接壁の内側下部及び介在壁の内側下部に位置決め凸縁が凸設され、前記ヘッドのベースの外側面の下部に前記コーナー部材の位置決め凸縁と対応する位置決め凹部が凹設され、該位置決め凹部にコーナー部材の位置決め凸縁が嵌め込まれることを特徴とする請求項１または請求項２に記載の配電箱の組立式フレーム。
【請求項４】
前記コーナー部材の介在壁に嵌合凹部が形成され、前記ヘッドの接触面に該コーナー部材の嵌合凹部に嵌め込まれる嵌合凸部が凸設されることを特徴とする請求項３に記載の配電箱の組立式フレーム。
【請求項５】
前記コーナー部材の位置決め凸縁の端面に嵌合溝が凹設され、該嵌合溝に防水部材が嵌め込まれることを特徴とする請求項４に記載の配電箱の組立式フレーム。
【請求項６】
前記キャップの位置決めリブの端面に嵌合溝が凹設され、該嵌合溝に防水部材が嵌め込まれることを特徴とする請求項５に記載の配電箱の組立式フレーム。
【請求項７】
さらに、複数の支持柱を有し、該支持柱が隣り合った２つの縦柱との間に連結され、且つ対応した上部枠の横柱と下部枠の横柱との間に連結され、また、隣り合った２つの前記支持柱との間に結合部材が結合され、該結合部材は、ベースと、一方の該支持柱の一側面に固定されるように、該ベースの相対する２つの側面に延設される２つの翼部と、他方の該支持柱に固定されるように、該ベースの相対する２つの他の側面に延設される当接プレート及び係合プレートとを備えることを特徴とする請求項６に記載の配電箱の組立式フレーム。
【請求項８】
複数の支持柱を有し、該支持柱が隣り合った２つの縦柱との間に連結され、且つ対応した上部枠の横柱と下部枠の横柱との間に連結され、また、隣り合った２つの前記支持柱との間にさらに結合部材が結合され、該結合部材は、ベースと、一方の該支持柱の一側面に固定されるように、該ベースの相対する２つの側面に延設される２つの翼部と、他方の該支持柱に固定されるように、該ベースの相対する２つの他の側面に延設される当接プレート及び係合プレートとを備えることを特徴とする請求項１または請求項２に記載の配電箱の組立式フレーム。
【請求項９】
前記各縦柱の縦柱本体に複数の組立部材が間隔をおいて取り付けられ、該各組立部材は、該縦柱の縦柱本体に着脱可能に取り付けられると共に、外側面に組立タブが延設される少なくとも１つの組立ブロックと、前記組立ブロックの組立タブをカバーするように取り付けられる結合ブロックとを備えることを特徴とする請求項７に記載の配電箱の組立式フレーム。
【請求項１０】
前記各縦柱の縦柱本体に複数の組立部材が間隔をおいて取り付けられ、該各組立部材は、該縦柱の縦柱本体に着脱可能に取り付けられると共に、外側面に組立タブが延設される少なくとも１つの組立ブロックと、前記組立ブロックの組立タブをカバーするように取り付けられる結合ブロックとを備えることを特徴とする請求項１または請求項２に記載の配電箱の組立式フレーム。